(57)【要約】【課題】  情報表示シートの頁数を多くすることが可能であり、情報表示装置を安価とすることができ、信号線も少なくすることができる情報表示装置を提供する。【解決手段】  各頁に軸回転用タブ２１を形成した複数頁から成る情報表示シート２と、周方向に所定角度を為して一対の突起部３１，３２を形成すると共に、各突起部３１，３２を周方向に所定角度ずらして軸方向に頁数だけ配列してなる回転軸３と、所定間隔で多数のスリット４１を形成し、回転軸３に固定したエンコーダ４と、エンコーダ４のスリット４１を検出するセンサ５と、から情報表示装置１を構成する。軸回転用タブ２１によって突起部３１，３２を押圧して、回転軸３を所定角度だけ回転させることによって、捲られた情報表示シート２の頁を認識する。【選択図】          図１
2006267256.tif 000002
【特許請求の範囲】
【請求項１】
各頁に軸回転用タブを形成した複数頁から成る情報表示シートと、周方向に所定角度を為して一対の突起部を形成すると共に、各突起部を周方向に所定角度ずらして軸方向に頁数だけ配列してなる回転軸と、所定間隔で多数のスリットを形成し、前記回転軸に固定したエンコーダと、前記エンコーダのスリットを検出するセンサと、から構成し、前記軸回転用タブにより前記突起部を押圧することによって、前記回転軸を所定角度だけ回転させるようにしたことを特徴とする情報表示装置。
【請求項２】
前記情報表示シートに軸回転用タブを形成し、前記回転軸に一対の突起部を形成する代わりに、前記情報表示シートに軸回転用突片を形成し、前記回転軸にこの軸回転用突片が嵌入する溝部を形成したことを特徴とする請求項１に記載の情報表示装置。
【請求項３】
前記エンコーダのスリットは、中心からの放射線に対して所定角度傾けて形成することを特徴とする請求項１又は２に記載の情報表示装置。
【請求項４】
前記センサは、位相の異なる２の出力信号を生成するものであることを特徴とする請求項１乃至３に記載の情報表示装置。
【発明の詳細な説明】
【技術分野】
【０００１】
本発明は、ＯＡ機器、事務機器、電気機器等の操作パネルに付設され、それら機器の操作方法、作動状態等に関する情報を視覚で認識できる情報表示装置に関する。
【背景技術】
【０００２】
ＯＡ機器、事務機器、電気機器等の操作パネルには、操作ボタンから成る操作部、ＬＥＤ等から成る表示部と共に、それら機器の操作方法、作動状態等に関する情報を視覚で認識できる情報表示装置が付設されることも多い。
この情報表示装置は、複数の情報表示シートを本の頁を捲る感覚で操作できるようにしたものであり、例えば、操作パネルの表示部に表示された数値と対応する頁を開くことにより、必要な情報を視覚で認識できるようになっている。
【０００３】
この種の情報表示装置として、従来、情報表示シートの各頁に対応する押ボタンスイッチを配設し、情報表示シートの各頁に押ボタンスイッチを押下するタブを形成し、ある頁の情報表示シートを捲ると、そのタブが対応する押ボタンスイッチを押下し、開かれている頁を認識するものが知られている（特許文献１参照）。
又、情報シートの各頁に異なる電極パターンを形成し、その電極パターンを検出するタブレットを配設し、ある頁の情報表示シートを捲ると、タブレットが情報シートに形成された電極パターンを検出し、開かれている頁を認識するものも知られている（特許文献２参照）。
【０００４】
【特許文献１】特開平７−１１０６６４号公報
【特許文献２】特開平６−３４８４００号公報
【発明の開示】
【発明が解決しようとする課題】
【０００５】
しかし、特許文献１に記載された情報表示装置にあっては、各頁に対応する押ボタンスイッチを配設するため、情報表示シートの頁数分の押ボタンスイッチが必要となり、情報表示シートの頁数をあまり多くすることはできなかった。
又、特許文献２に記載された情報表示装置にあっては、情報シートの各頁に異なる電極パターンを形成するため、情報表示シートの製造コストが高価となり、情報表示装置も高価とならざるを得なかった。
さらに、何れの情報表示装置にあっても、情報表示シートの頁数分の制御信号線が必要となると共に、インターフェースの信号線も増大することになった。
【０００６】
本発明は、かかる従来の問題点を解消すべく為されたものであって、情報表示シートの頁数を多くすることが可能であり、情報表示シートの製造コストが安価で、情報表示装置も安価とすることができ、制御信号線及びインターフェースの信号線も少なくすることができる情報表示装置を提供することを目的とする。
【課題を解決するための手段】
【０００７】
上記目的を達成するため、本発明の情報表示装置は、各頁に軸回転用タブを形成した複数頁から成る情報表示シートと、周方向に所定角度を為して一対の突起部を形成すると共に、各突起部を周方向に所定角度ずらして軸方向に頁数だけ配列してなる回転軸と、所定間隔で多数のスリットを形成し、前記回転軸に固定したエンコーダと、前記エンコーダのスリットを検出するセンサと、から構成し、前記軸回転用タブにより前記突起部を押圧することによって、前記回転軸を所定角度だけ回転させるようにしたことを特徴とする。
【０００８】
上記情報表示装置において、前記情報表示シートに軸回転用タブを形成し、前記回転軸に一対の突起部を形成する代わりに、前記情報表示シートに軸回転用突片を形成し、前記回転軸にこの軸回転用突片が嵌入する溝部を形成してもよい。
【０００９】
前記エンコーダに形成するスリットは、中心からの放射線に対して所定角度傾けて形成するのが好ましい。
【００１０】
前記センサは、位相の異なる２の出力信号を生成するものが好ましい。
【発明を実施するための最良の形態】
【００１１】
以下、本発明の情報表示装置の好適な実施形態について、図面を参照して詳細に説明する。
【００１２】
本発明の情報表示装置１は、図１に示すように、複数頁から成る情報表示シート２と、回転軸３と、エンコーダ４と、センサ５とから構成してある。
【００１３】
情報表示シート２は、厚紙、プラスチックシート等の比較的剛性の高いシート部材から成り、図１及び図２に示すように、情報表示シート２には、各頁について、側端部に異なる位置に軸回転用タブ２１を形成し、下端部に異なる位置に頁表示用タブ２２を形成してある。
又、情報表示シート２には、各頁ともに同一位置に、複数の確認孔部２３を所定間隔で形成してある。
【００１４】
回転軸３は、図１及び図３に示すように、両端部において支持部材６，６に回転自在に支持してあり、周面部には一対の突起部３１，３２を形成してある。
突起部３１は、回転軸３の軸方向に所定間隔で、隣接する突起部３１１，３１２  は、回転軸３の周方向に所定角度ずらして配列してある。
突起部３２は、回転軸３に対して突起部３１と反対側に、周方向に所定角度を為して形成してあり、突起部３２も、回転軸３の軸方向に所定間隔で、隣接する突起部３２１，３２２  は、回転軸３の周方向に所定角度ずらして配列してある。
【００１５】
図３は、情報表示シート２を１１頁有する場合における回転軸３の構成を示したものであり、突起部３１と突起部３２との為す角度は１６５°、隣接する突起部３１１，３１２  及び隣接する突起部３２１，３２２  の為す角度は１５°としてある。
【００１６】
エンコーダ４は、図１及び図４に示すように、回転軸３の一端部に固定した薄肉円板であり、回転軸３と共に回転するようになっている。
エンコーダ４の周辺部には、中心からの放射線に対して所定角度傾けて、所定間隔で多数のスリット４１を形成してある。
【００１７】
センサ５は、図１に示すように、エンコーダ４のスリット４１を検出できる光センサ又は磁気センサ等であって、位相の異なる２の出力信号を生成するものである。
【００１８】
又、図１に示すように、設置パネル上に所定間隔で表示灯７を配設すると共に、初期検知スイッチ８を配設してある。
【００１９】
次に、本発明の情報表示装置１の動作を、情報表示シート２を１１頁有する場合を例に挙げて説明する。
【００２０】
情報表示シート２の全頁が左側に位置している場合には、図５（Ａ）に示すように、１頁目の軸回転用タブ２１１が突起部３２１を押圧しているから、回転軸３は自由に回転することはできない。
【００２１】
１頁目を持ち上げると、突起部３２１から軸回転用タブ２１１が離反するから、回転軸３は自由に回転することができるようになる。
そして、１頁目を捲って右側に移動させると、図５（Ｂ）に示すように、１頁目の軸回転用タブ２１１が突起部３１１に当接し、押圧するから、回転軸３は１５°だけ右回転する。
この時、回転軸３が右回転することによって、突起部３２２が上がってくるが、２頁目の軸回転用タブ２１２が突起部３２２を押圧するから、回転軸３はそれ以上回転しない。
【００２２】
次いで、２頁目を持ち上げると、突起部３２２から軸回転用タブ２１２が離反するから、回転軸３は自由に回転することができるようになる。
そして、２頁目を捲って右側に移動させると、図５（Ｃ）に示すように、２頁目の軸回転用タブ２１２が突起部３１２に当接し、押圧するから、回転軸３は１５°だけ右回転する。
この時、回転軸３が右回転することによって、突起部３２３が上がってくるが、３頁目の軸回転用タブ２１３が突起部３２３を押圧するから、回転軸３はそれ以上回転しない。
【００２３】
以下、同様にして頁を捲っていけば、回転軸３は頁を捲る毎に１５°づつ確実に右回転することとなる。
【００２４】
一方、頁を捲る毎に回転軸３は１５°づつ右回転し、それに伴って、エンコーダ４も１５°づつ右回転するから、図６に示すように、通過するスリット４１の数をセンサ５の出力波形の数として検出すれば、回転軸３の回転角度を検出することができ、捲られた頁数を認識することができる。
【００２５】
情報表示シート２の頁を左側から右側に捲る場合について説明したが、右側から左側に捲る場合についても、上記と同様にして、回転軸３は頁を捲る毎に１５°づつ確実に左回転することとなる。
【００２６】
ここで、スリット４１は、中心からの放射線に対して所定角度傾けて形成してあり、センサ５は、位相の異なる２の出力信号を生成するものであるから、図６（Ａ）及び（Ｂ）に示すように、出力信号１及び出力信号２の位相を観察することによって、右側又は左側の何れに頁を捲っているか認識することができる。
【００２７】
尚、情報表示シート２の全頁が左側に位置している場合、すなわち、初期位置にある場合には、初期検知スイッチ８は押下されないから、これによって、ＯＡ機器、事務機器、電気機器等の電源投入時等において、情報表示シート２が初期位置にあることを確認することができる。
【００２８】
次に、本発明の情報表示装置１をＯＡ機器の操作パネル１１に付設した場合を例に挙げて、ＯＡ機器の作動状態に関する情報を視覚で認識する方法について説明する。
【００２９】
図７に示すように、操作パネル１１には、複数のＬＥＤ及び操作ボタンから成る操作部１２と、７セグメントのＬＣＤから成る３桁の表示部１３と、本発明の情報表示装置１とを配設してある。
そして、情報表示装置１は、カバー１４を開放することによって、操作できるようになっている。
【００３０】
このＯＡ機器においては、機器の作動状態を３桁から成る表示部１３に表示するようになっているが、図８に示すように、表示部１３に“Ｅ０３”と表示されたとしても、表示部１３に表示されたコードだけでは、マニュアル等に記載された対比表によって確認しなければ、操作者は容易にその具体的内容を知ることができない。
【００３１】
そこで、操作者は、カバー１４を開放して、情報表示装置１を使用する。
カバー１４を開放すると、図９に示すように、設置パネル９上には目次が表示されており、コード“Ｅ０３”の項目が記載された頁に対応する表示灯７が点灯している。
【００３２】
情報表示シート２の４頁目を開くと、図１０に示すように、それに対応して点灯する表示灯７が代わり、コード“Ｅ０３”の項目に対応する表示灯７が点灯する。
このようにして、操作者は、コード“Ｅ０３”によって表示された機器の作動状態を容易に認識することができる。
【００３３】
上記情報表示装置１においては、情報表示シート２に軸回転用タブ２１を形成し、回転軸３に一対の突起部３１，３２を形成したが、その代わりに、情報表示シート２に軸回転用突片を形成し、回転軸３に軸回転用突片が嵌入する溝部を形成してもよい。
この場合には、突起部３１の位置から突起部３２の位置まで溝部を形成するようにすれば、情報表示装置１と同様の動作を実行させることができる。
【００３４】
以上のように、本発明の情報表示装置によれば、情報表示シートの頁数を多くすることが可能であり、情報表示シートの製造コストが安価で、情報表示装置も安価とすることができ、制御信号線及びインターフェースの信号線も少なくすることができる。
【図面の簡単な説明】
【００３５】
【図１】本発明の情報表示装置の斜視図である。
【図２】情報表示シートの斜視図である。
【図３】回転軸の（Ａ）は平面図、（Ｂ）は側面図である。
【図４】エンコーダの平面図である。
【図５】本発明の情報表示装置の動作を示す説明図である。
【図６】センサの出力波形を示す説明図である。
【図７】本発明の情報表示装置を付設したＯＡ機器の操作パネルの平面図である。
【図８】図７の操作パネルに配設された表示部の拡大平面図である。
【図９】情報表示装置の初期状態を示す平面図である。
【図１０】情報表示装置の該当頁を開いた状態を示す平面図である。
【符号の説明】
【００３６】
１  情報表示装置
２  情報表示シート
２１  軸回転用タブ
３  回転軸
３１  突起部
３２  突起部
４  エンコーダ
４１  スリット
５  センサ
【図１】
2006267256.tif 000003
【図２】
2006267256.tif 000004
【図３】
2006267256.tif 000005
【図４】
2006267256.tif 000006
【図５】
2006267256.tif 000007
【図６】
2006267256.tif 000008
【図７】
2006267256.tif 000009
【図８】
2006267256.tif 000010
【図９】
2006267256.tif 000011
【図１０】
2006267256.tif 000012